(57)【要約】【課題】成る可く簡易な構造であって、円滑なスライドドア７Ａ、７Ｂの開閉作動が維持されるように、前記出入り開口６を気密状に閉鎖し得る構造となす。【解決手段】スライドドア７Ａ、７Ｂの左右何れかの端部で前記出入り開口６側に位置した上下方向個所９ｇに左右方向ｆ１へ傾斜された当接平面部ａ１を具備した第一の弾性条部材１１ａを固設し、一方では前記出入り開口６の周縁部の前記当接平面部ａ１に対応した個所で前記スライドドア７Ａ、７Ｂ側に面した上下方向個所に前記当接平面部ａ１に沿わせた第一の剛性面部ｂ１を形成し、前記スライドドア７Ａ、７Ｂの閉鎖状態で前記当接平面部ａ１が前記第一の剛性面部ｂ１に弾圧状に密接される構成となす。【選択図】図５
2005082252.tif 000002
【特許請求の範囲】
【請求項１】
複数階層に渡る昇降空間の縦囲壁に形成された出入り開口に、該出入り開口の昇降空間内側に設けられて特定軌道上を左右方向へ開閉移動されるものとしたスライドドアを具備したエレベータ乗場ドア装置において、前記スライドドアの左右何れかの端部で前記出入り開口側に位置した上下方向個所に左右方向へ傾斜された当接平面部（ａ１）を具備した弾性条部材（１１ａ）を固設し、一方では前記出入り開口の周縁部の前記当接平面部（ａ１）に対応した個所で前記スライドドア側に面した上下方向個所に前記当接平面部（ａ１）に沿わせた剛性面部（ｂ１）を形成し、前記スライドドアの閉鎖状態で前記当接平面部（ａ１）が前記剛性面部（ｂ１）に弾圧状に密接されることを特徴とするエレベータ乗場ドア装置。
【請求項２】
複数階層に渡る昇降空間の縦囲壁に形成された出入り開口に、該出入り開口の昇降空間内側に設けられて特定軌道上を左右方向へ開閉移動されるものとした両開きの２枚のスライドドア（７Ａ、７Ａ１）を具備したエレベータ乗場ドア装置において、前記２枚のスライドドア（７Ａ、７Ａ１）のうち左側スライドドア（７Ａ１）の左端部と右側スライドドア（７Ａ）の右端部とのそれぞれの前記出入り開口側に位置した上下方向個所に左右方向へ傾斜された当接平面部（ａ１、ａ１１）を具備した弾性条部材（１１ａ、１１ａ１）を固設し、一方では前記出入り開口の周縁部の左右各側部で前記スライドドア（７Ａ、７Ａ１）側に面した上下方向個所に前記当接平面部（ａ１、ａ１１）に沿わせた剛性面部（ｂ１、ｂ１１）を形成し、２枚の前記スライドドア（７Ａ、７Ａ１）の閉鎖状態で左右各側の前記スライドドア（７Ａ、７Ａ１）の弾性条部材（１１ａ、１１ａ１）の前記当接平面部（ａ１、ａ１１）がこれに対応した剛性面部（ｂ１、ｂ１１）に弾圧状に密接されることを特徴とするエレベータ乗場ドア装置。
【請求項３】
複数階層に渡る昇降空間の縦囲壁に形成された出入り開口に、該出入り開口の昇降空間内側に設けられて特定軌道上を重なり合い状態で左右方向へ開閉移動されるものとした複数のスライドドアを具備したエレベータ乗場ドア装置において、前記複数のスライドドアの重なり合い状に対向した個所の一方の対向面部の左右何れかの端部の上下方向個所に左右方向へ傾斜された当接平面部（ａ２）を具備した弾性条部材（１１ｂ）を固設し、一方では前記重なり合い状に対向した個所の他方の対向面部で前記上下方向個所に対応した上下方向個所に前記当接平面部（ａ２）に沿わせた剛性面部（ｂ２）を形成し、複数のスライドドアの閉鎖状態で前記弾性条部材（１１ｂ）の当接平面部（ａ２）が前記剛性面部（ｂ２）に弾圧状に密接されることを特徴とするエレベータ乗場ドア装置。
【請求項４】
前記弾性条部材はシリコンゴム材となしたことを特徴とする請求項１、２又は３記載のエレベータ乗場ドア装置。
【発明の詳細な説明】
【技術分野】
【０００１】
本発明は、気密状の閉鎖機能を備えたエレベータ乗場ドア装置に関するものである。
【背景技術】
【０００２】
複数階層に渡る昇降空間の縦囲壁に形成された出入り開口に、該出入り開口の昇降空間内側に位置されて特定軌道上を左右方向へ開閉移動されるものとしたスライドドアを設けたエレベータ乗場ドア装置は存在している。
【０００３】
エレベータを備えた建物で火災が発生すると、熱気や煙が閉鎖状態のスライドドアの隙間及び昇降空間を通じて他の階層へ流動し人災を拡大することがあるが、このような実情に対処するため、上記エレベータ乗場ドア装置は前記昇降空間の内外を気密状に遮断した状態に前記出入り開口を閉鎖する構造となすことが要請されている。
このようなものとして、例えば特許文献１に示すように、出入り開口とスライドドアとの隙間をシール部材で気密状にシールする構造となしたものがある。
【０００４】
【特許文献１】実開平７−２４８６４号公報
【発明の開示】
【発明が解決しようとする課題】
【０００５】
本発明は、比較的簡易な構造であって円滑なスライドドアの開閉作動が維持されるように前記出入り開口を気密状に閉鎖する構造としたエレベータ乗場ドア装置を提供することを目的とする。
【課題を解決するための手段】
【０００６】
上記目的を達成するため、本願の第１の発明は、請求項１に記載したように、複数階層に渡る昇降空間の縦囲壁に形成された出入り開口に、該出入り開口の昇降空間内側に設けられて特定軌道上を左右方向へ開閉移動されるものとしたスライドドアを具備したエレベータ乗場ドア装置において、前記スライドドアの左右何れかの端部で前記出入り開口側に位置した上下方向個所に左右方向へ傾斜された当接平面部ａ１を具備した弾性条部材１１ａを固設し、一方では前記出入り開口の周縁部の前記当接平面部ａ１に対応した個所で前記スライドドア側に面した上下方向個所に前記当接平面部ａ１に沿わせた剛性面部ｂ１を形成し、前記スライドドアの閉鎖状態で前記当接平面部ａ１が前記剛性面部ｂ１に弾圧状に密接される構成としたものである。
【０００７】
また第２の発明は、請求項２に記載したように、複数階層に渡る昇降空間の縦囲壁に形成された出入り開口に、該出入り開口の昇降空間内側に設けられて特定軌道上を左右方向へ開閉移動されるものとした両開きの２枚のスライドドア７Ａ、７Ａ１を具備したエレベータ乗場ドア装置において、前記２枚のスライドドア７Ａ、７Ａ１のうち左側スライドドア７Ａ１の左端部と右側スライドドア７Ａの右端部とのそれぞれの前記出入り開口側に位置した上下方向個所に左右方向へ傾斜された当接平面部ａ１、ａ１１を具備した弾性条部材１１ａ、１１ａ１を固設し、一方では前記出入り開口の周縁部の左右各側部で前記スライドドア７Ａ、７Ａ１側に面した上下方向個所に前記当接平面部ａ１、ａ１１に沿わせた剛性面部ｂ１、ｂ１１を形成し、２枚の前記スライドドア７Ａ、７Ａ１の閉鎖状態で左右各側の前記スライドドア７Ａ、７Ａ１の弾性条部材１１ａ、１１ａ１の前記当接平面部ａ１、ａ１１がこれに対応した剛性面部ｂ１、ｂ１１に弾圧状に密接される構成としたものである。
【０００８】
また第３の発明は、請求項３に記載したように、複数階層に渡る昇降空間の縦囲壁に形成された出入り開口に、該出入り開口の昇降空間内側に設けられて特定軌道上を重なり合い状態で左右方向へ開閉移動されるものとした複数のスライドドアを具備したエレベータ乗場ドア装置において、前記複数のスライドドアの重なり合い状に対向した個所の一方の対向面部の左右何れかの端部の上下方向個所に左右方向へ傾斜された当接平面部ａ２を具備した弾性条部材１１ｂを固設し、一方では前記重なり合い状に対向した個所の他方の対向面部で前記上下方向個所に対応した上下方向個所に前記当接平面部ａ２に沿わせた剛性面部ｂ２を形成し、複数のスライドドアの閉鎖状態で前記弾性条部材１１ｂの当接平面部ａ２が前記剛性面部ｂ２に弾圧状に密接される構成としたものである。
【０００９】
上記各発明は次のように具体化するのがよいのであって、即ち、請求項４に記載したように、前記弾性条部材はシリコンゴム材となす。
【発明の効果】
【００１０】
上記した本発明によれば次のような効果が得られる。
即ち、請求項１記載のものによれば、前記スライドドアの閉鎖状態で前記第一の弾性条部材の当接平面部と前記第一の剛性面部とが弾圧状に密接されるため、前記スライドドアの側部と前記出入り開口の側部の隙間が気密状に封止されて該隙間を通じて熱気や煙が前記昇降空間内に流入したり或いは該昇降空間内から流出するような事態を確実に阻止できるものとなるのであり、また前記第一の剛性面部が前記出入り開口に設けられる既存の枠体の一部で形成されるようになるため、該出入り開口側に前記第一の弾性条部材に圧接する別の部材を付加する必要のないものとなって構造を比較的簡易となすことができるのであり、また前記第一の弾性条部材の当接平面部が前記第一の剛性面部に圧接する構成が前記第一の弾性条部材と前記第一の剛性面部との相対的な左右方向滑りを比較的良好に維持するため、前記スライドドアの側部と前記出入り開口の側部との隙間が確実に気密状に封止されるものでありながらこれらスライドドアの開閉作動が円滑に行われるものとなすことができる。
【００１１】
請求項２記載のものによれば、２枚のスライドドアを具備したエレベータ乗場ドア装置において第一及び第二の弾性条部材と第一及び第二の剛性面部により請求項１記載の発明と同様な効果が得られるものである。
【００１２】
請求項３記載のものによれば、出入り開口の昇降空間内側に設けられて特定軌道上を重なり合い状態で左右方向へ開閉移動されるものとした複数のスライドドアを具備したエレベータ乗場ドア装置において、複数の前記スライドドアが閉鎖状態となされたとき、前記スライドドア同士の重なり合い個所である上下方向個所を前記第三の弾性条部材と前記第三の剛性面部との圧接で気密状に封止することができるのであり、この場合にも、前記第三の弾性条部材の当接平面部が前記第三の剛性面部に圧接する構成が前記第三の弾性条部材と前記第三の剛性面部との相対的な左右方向滑りを比較的良好に維持するため、前記スライドドアの側部と前記出入り開口の側部との隙間が確実に気密状に封止されるものでありながら前記スライドドアの開閉作動が円滑に行われるものとなすことができる。
【００１３】
請求項４記載のものによれば、前記第一、第二又は第三の弾性条部材がシリコンゴム材となされるため、スライドドアの閉鎖された状態の下でのスライドドアの上下方向個所の気密状の封止が２００℃以上の熱気に対しても前記弾性条部材とその対応する剛性面部との圧接により確実に維持されるものとなすことができる。
【発明を実施するための最良の形態】
【００１４】
次に本発明の第一実施例を図１から図９を参照して詳細に説明する。
図１及び図２中、１００はエレベータ１を備えた建物で、各階層２ａ、２ｂ、２ｃ、２ｄ・・・に渡る昇降空間３を具備し、該昇降空間３内をケージ４が昇降するようになされている。
【００１５】
各階層２ａ、２ｂ、２ｃ・・・に対応した昇降空間３の縦囲壁５個所には各階層にてエレベータ１を使用する人がケージ４に対し乗り降りするためのエレベータ乗場ドア装置１０１が形成してある。
【００１６】
次に各エレベータ乗場ドア装置１０１について、図２〜図９を参照して説明する。
図３〜図５に示すように、前記縦囲壁５個所には四角形の出入り開口６が形成されており、該出入り開口６の昇降空間３内側には左右方向ｆ１へ開閉移動されるものとしたスライドドア７が装設されている。
【００１７】
出入り開口６の周縁部には金属板で形成された枠体８が固設してあり、該枠体８は出入り開口６の内周面５ａと、該内周面５ａ近傍の縦向き外面５ｂ及び縦向き内面５ｃとを覆ったものとなされている。出入り開口６の周縁部の右側部の縦向き内面５ｃに沿った枠体部分８ａ（図６参照）は左右方向ｆ１へ傾斜した上下向き平面となされている。この際、該枠体部分８ａの左右方向ｆ１の傾斜角度θ１はその勾配を例えば凡そ１／９程度となす大きさとなされる。また内周面５ａの左側部を覆った枠体部分８ｃは段部８ｃ１を形成されて段違い状の２つの前後向き縦向き面部８ｃ２、８ｃ３を形成される。
【００１８】
スライドドア７は外側スライドドア７Ａと内側スライドドア７Ｂとの２枚からなっていて、何れも正面視四角形となされている。外側スライドドア７Ａは前面部９ａ、左端面部９ｂ、右端面部９ｃ、上辺部９ｄ、下辺部９ｅを備えていてそれぞれを金属板で形成されると共に、図７に示すように左端面部９ｂの内方端縁を右側へ延長されて左右巾を凡そ３〜５ｃｍ程度となされた第四の上下方向個所をなす細巾平面部９ｆを形成されるほか、右端面部９ｃ近傍個所の前面部９ａに左右巾を凡そ２〜３ｃｍ程度となされた第一の上下方向個所をなす細巾溝部９ｇを形成されている。この際、細巾平面部９ｆの左右方向ｆ１の傾斜角度θ２は前記枠体部分８ａの場合と同様に、その勾配を凡そ１／９程度となす大きさとなされる。また内側スライドドア７Ｂは前面部１０ａ、左端面部１０ｂ、右端面部１０ｃ、上辺部１０ｄ、下辺部１０ｅを備えていてそれぞれを金属板で形成されると共に、左端面部１０ｂの前後方向巾中央個所に前後方向巾を凡そ１〜２ｃｍ程度となされた上下向きの細巾溝部１０ｆを形成されるほか、右端面部１０ｃ近傍個所の前面部に凡そ２〜３ｃｍ程度となされた第三の上下方向個所をなす細巾溝部１０ｇを形成されている。
【００１９】
各細巾溝部９ｇ、１０ｇ及び各細巾溝部１０ｆには、シリコンゴム又はその他の樹脂材などからなる弾性条部材１１ａ、１１ｂ、１２が嵌合状に固着されている。図６に示すように、弾性条部材１１ａは外側スライドドア７Ａの略全高さ範囲に及ぶ長さとなされていて前面を左右方向ｆ１へ傾斜された平面からなる当接面ａ１をなされ、該当接面ａ１の左右方向ｆ１の傾斜角度を前記枠体部分８ａのそれθ１と合致されており、また図７に示すように、弾性条部材１１ｂは内側スライドドア７Ｂの略全高さ範囲に及ぶ長さとなされていて前面を左右方向ｆ１へ傾斜された平面からなる当接面ａ２をなされ、該当接面ａ２の左右方向ｆ１の傾斜角度を前記細巾平面部９ｆのそれθ２と合致されている。
【００２０】
そして、外側スライドドア７Ａは枠体８と同体状に固定された左右向きの上側案内軌道１３ａにより吊り支持部１４ａを介して上辺部９ｄを左右移動可能に吊り支持されると共に、枠体８と同体状に固定された左右向きの下側案内軌道１５ａにより被案内部１６ａを介して下辺部９ｅを左右移動可能に案内されており、一方、内側スライドドア７Ｂは枠体８と同体状に固定された左右向きの上側案内軌道１３ｂにより吊り支持部１４ｂを介して上辺部１０ｄを左右移動可能に吊り支持されると共に、枠体８と同体状に固定された左右向きの下側案内軌道１５ｂにより被案内部１６ｂを介して下辺部１０ｄを左右移動可能に案内されている。
【００２１】
この際、図３及び図４に示すように、吊り支持部１４ａは外側スライドドア７Ａの上辺部９ｄの上端面の左右方向ｆ１各端部近傍個所から板部材１７ａを起立させ、該板部材１７ａの上部に前後向き軸１８ａを介して支持輪１９ａを回動自在に装着したものとなされており、また吊り支持部１４ｂは内側スライドドア７Ｂの上辺部１０ｄの上端面の左右方向ｆ１各端部近傍個所から板部材１７ｂを起立させ、該板部材１７ｂの上部に前後向き軸１８ｂを介して支持輪１８ｂを回動自在に装着したものとなされている。そして、支持輪１９ａは一方の案内軌道１３ａをなす板状軌道部材に嵌合状に載置されており、また支持輪１９ｂは他方の案内軌道１３ｂをなす板状軌道部材に嵌合状に載置されている。
【００２２】
そして、被案内部１６ａは外側スライドドア７Ａの下辺部９ｅの下端面９ｈの左右方向ｆ１各端部近傍個所に上下向き支軸を設け、該上下向き支軸にドアーシュー２０ａを装着し、該ドアーシュー２０ａが下側案内軌道１５ａをなす直状溝に嵌挿されて外側スライドドア７Ａの左右移動を案内するものとなされており、また被案内部１６ｂは外側スライドドア７Ｂの下辺部１０ｅの下端面１０ｈの左右方向ｆ１各端部近傍個所に上下向き支軸を設け、該上下向き支軸にドアーシュー２０ｂを装着し、該ドアーシュー２０ｂが下側案内軌道１５ｂをなす直状溝に嵌挿されて外側スライドドア７Ｂの左右移動を案内するものとなされている。
【００２３】
上記弾性条部材１１ａと枠体部分８ａとの関係は、外側スライドドア７Ａを図５に仮想線で示す開放位置Ｐ１から左方向へ移動させて実線で示すような閉鎖状態としたとき、弾性条部材１１ａの当接平面部ａ１が枠体部分８ａの一部をなす第二の上下方向個所である剛性面部ｂ１に圧接して、外側スライドドア７Ａの出入り開口６側個所と、出入り開口６の周縁部の剛性面部ｂ１との間を気密状態に封鎖するものとなされている。
【００２４】
また上記弾性条部材１１ｂと外側スライドドア７Ａの第四の上下方向個所ｂ２である剛性面部との関係は、外側スライドドア７Ａと内側スライドドア７Ｂを図５に示すそれぞれの開放位置Ｐ１から左方向へ移動させて実線で示すような閉鎖状態としたとき、弾性条部材１１ｂの当接平面部ａ２が剛性面部ｂ２に圧接して、内側スライドドア７Ｂの出入り開口６側個所と、剛性面部ｂ２との間を気密状態に封鎖するものとなされている。
【００２５】
また上記弾性条部材１２と、枠体８ｃの前後向き縦向き面部８ｃ３との関係は、外側スライドドア７Ａを図５に実線で示すような閉鎖状態としたとき、弾性条部材１２の平面視円弧状の先端部が前後向き縦向き面部８ｃ３の一部である剛性面部に圧接して、外側スライドドア７Ａの左端部と、枠体８の右端面部との間を気密状態に封止するものとなされている。
【００２６】
また外側スライドドア７Ａ及び内側スライドドア７Ｂの各上辺部９ｄ、１０ｄと、枠体８の周縁部の上部との関係構成は例えば次のようなものとなされる。即ち、図４及び図８に示すように、外側スライドドア７Ａと内側スライドドア７Ｂのそれぞれにおいて、各上辺部９ｄ、１０ｄは溝形材となされていて前面部９ａ、１０ａをなす板部材の上辺に固着されており、各上辺部９ａ、１０ａの外側縦平面部が左右方向ｆ１の前面部９ａ、１０ａに対して平面視で右端が前記ケージ４から離れる側へ偏倚するように位置決めされている。そして、各上辺部９ｄ、１０ｄをなす溝形材の外側縦平面部に斜線を付して示された断面四角形の弾性条部材２１、２２が左右方向ｆ１へ固定される。一方、これら上辺部９ｄ、１０ｄと対向する枠体８の上部は平面視で図８に示すようなものとなされるのであって、即ち、左右方向ｆ１の中央個所に段部８ｂ１を形成されていて、該段部８ｂ１の右側に前記上辺部９ｄの外側縦平面部と平行となされた第一傾斜面部８ｂ２を形成されると共に、該段部８ｂ１の左側に前記上辺部１０ｄの外側縦平面部と平行となされた第二傾斜面部８ｂ３を形成されている。そして、第一傾斜面部８ｂ２は外側スライドドア７Ａが閉鎖されたときにその上辺部９ｄの弾性条部材２１の外側縦面と密接した状態となり、第二傾斜面部８ｂ３は内側スライドドア７Ｂが閉鎖されたときにその上辺部１０ｄの弾性条部材２２の外側縦面と密接した状態となるようになされている。
【００２７】
さらに外側スライドドア７Ａ及び内側スライドドア７Ｂの各下辺部９ｅ、１０ｅと、枠体８の周縁部の下部との関係構成については例えば次のようなものとなされる。即ち、図３及び図９に示すように、外側スライドドア７Ａにおいて、その下辺部９ｅのケージ４側個所の左右方向ｆ１個所及び右端面部９ｃ下部個所とに薄厚板状弾性部材２３ａ、２３ｂを固着し、該弾性部材２３ａ、２３ｂの下端縁を枠体８の周縁部の下部平面個所（厳密には下側案内軌道１５ａの水平面個所）に密状に近接させる。また内側スライドドア７Ｂにおいても、その下辺部１０ｅのケージ４側個所の左右方向ｆ１個所及び右端面部１０ｃ下部個所とに薄厚板状弾性部材２４ａ、２４ｂを固着し、該弾性部材２４ａ、２４ｂの下端縁を枠体８の周縁部の下部平面個所（厳密には下側案内軌道１５ｂの水平面個所）に密状に近接させる。そして、外側スライドドア７Ａ及び内側スライドドア７Ｂが図９に示すように閉鎖されたときに、外側スライドドア７Ａの弾性部材２３ａ、２３ｂと、内側スライドドア７Ｂの弾性部材２４ａ、２４ｂとが外側スライドドア７Ａ及び内側スライドドア７Ｂと、枠体８の周縁部の下部との隙間を殆ど封鎖した状態となるようになされている。
【００２８】
なお、弾性条部材１１ａ、１１ｂ、１２、２１、２２や弾性部材２３ａ、２３ｂ、２４ａ、２４ｂのみではなお過大な隙間ができるような場合は、該隙間個所に適当形状となした弾性部材を付設してスライドドア７Ａ、７Ｂの閉鎖された状態で該隙間が実際上の気密状態となされる構成となす。
【００２９】
上記したエレベータ乗場ドア装置１０１において、ケージ４が各階層２ａ、２ｂ、２ｃ、２ｄ・・・・に対応した特定高さ位置に到達して図示しないドア動力駆動機構が開作動指令を入力されたとき、図５に実線で示すような閉鎖状態となっている外側スライドドア７Ａと内側スライドドア７Ｂがドア動力駆動機構の駆動力で右側へ移動されて図５に仮想線で示す開放位置Ｐ１に保持され開放状態となる。
該開放状態では各弾性条部材１１ａ、１１ｂ、１２、２１、２２や弾性部材２３ａ、２３ｂ、２４ａ、２４ｂは昇降空間３の内方側に位置して各階層２ａ、２ｂ、２ｃ、２ｄ・・・・の空間とケージ４内との間を通行する人の目に触れることもなく、しかも何ら通行の障害となることもない。
【００３０】
そして、図示しないドア動力駆動機構が閉作動指令を入力されたとき、外側スライドドア７Ａと内側スライドドア７Ｂが図示しないドア動力駆動機構の駆動力で図５に仮想線で示す開放位置Ｐ１から左方向へ移動される。そして、外側スライドドア７Ａと内側スライドドア７Ｂのそれぞれが図５に実線で示すような閉鎖位置に近接すると、２つの上下向きの弾性条部材１１ａ、１１ｂの当接平面部ａ１、ａ２がこれに対応した２個所の剛性面部ｂ１、ｂ２（図６及び図７参照）に当接され、また２つの左右向きの弾性条部材２１、２２の外側縦面がそれぞれの対応する第一傾斜面部８ｂ２と第二傾斜面部８ｂ３に当接される。そして、さらに外側スライドドア７Ａと内側スライドドア７Ｂが図示しないドア動力駆動機構の駆動力で左方向へ移動されると、弾性条部材１１ａ、１１ｂの当接平面部ａ１、ａ２は剛性面部ｂ１、ｂ２に、そして弾性条部材２１、２２の外側縦面は第一傾斜面部８ｂ２及び第二傾斜面部８ｂ３にこれら相互の斜面作用により圧接されてこれら圧接個所が気密状に封止された状態となり、また外側スライドドア７Ａと内側スライドドア７Ｂの弾性部材２３ａ、２３ｂ、２４ａ、２４ｂはこれらドア７Ａ、７Ｂの下端縁と、枠体８の周縁部の下部との隙間を略気密状に封止する。
該封止状態においては、熱気や煙が出入り開口６やスライドドア７Ａ、７Ｂの隙間や昇降空間３を通じて他の階層に流れ込むような従来の事態は確実に阻止されるのである。
【００３１】
なお、上記実施例はスライドドア７Ａ、７Ｂが右方向へ移動されて出入り開口６が閉鎖されるものとなしたが、これとは逆にスライドドア７Ａ、７Ｂが左方向へ移動されて出入り開口６が閉鎖されるものとなすことも差し支えないのであり、この場合は上記実施例を左右逆対称とした構造となすのである。
【００３２】
次に上記実施例の第一変形例について図１０を参照して説明する。
左右２枚のスライドドア７Ａ、７Ａ１Ｂを備えており、これらスライドドア７Ａ、７Ａ１は上側案内軌道１３と下側案内軌道１５を介して同一の左右向き縦面上での左右移動可能に支持させてあって、これらを離反させる側の左右方向ｆ１へ移動させたときに出入り開口６が開放され、逆に近接させる側の左右方向ｆ１へ移動させたときに出入り開口６が閉鎖される両開き方式に装設されている。
【００３３】
そして、各スライドドア７Ａ、７Ａ１と枠体８との関係は先の実施例の外側スライドドア７Ａと枠体８との関係に準じたものとなすのであって、即ち、左右２枚のスライドドア７Ａ、７Ａ１のうち左側スライドドア７Ａ１の左端部と右側スライドドア７Ａの右端部とのそれぞれの前記出入り開口６側に位置した第五の上下方向個所９ｇ１と第一の上下方向個所９ｇに左右方向ｆ１へ傾斜された当接平面部ａ１、ａ１１を具備した弾性条部材１１ａ、１１ａ１を固設し、一方では前記出入り開口６の周縁部の左右各側部を覆う枠体部分８ａ、８ａ１で前記スライドドア７Ａ、７Ａ１側に面した第二の上下方向個所ｂ１及び第六の上下方向個所ｂ１１を前記当接平面部ａ１、ａ１１に沿わせた剛性面部となし、２枚のスライドドア７Ａ、７Ａ１の閉鎖状態で左右各側のスライドドア７Ａ、７Ａ１の前記当接平面部ａ１、ａ１１がこれに対応した前記剛性面部ｂ１、ｂ１１に弾圧状に密接されるようになす。これにより、出入り開口６の左右各側部とスライドドア７Ａ、７Ａ１とは気密状に封止されるものとなる。
さらに左側スライドドア７Ａ１の右端部と右側スライドドア７Ａの左端部とに上下向きの衝接弾性条部材２５、２６を固定して、これらスライドドア７Ａ、７Ａ１の閉鎖状態において、２つの衝接弾性条部材２５、２６の段付の対向面が気密状に圧接するようになす。この際、衝接弾性条部材２５、２６はスライドドア７Ａ、７Ａ１の反対面に取りつけることも差し支えない。なお、その他の構成は先の実施例に準じたものとなす。
【００３４】
次に上記実施例の第二変形例について図１１を参照して説明する。
３枚のスライドドア７Ａ、７Ｃ、７Ｂを備えており、各スライドドア７Ａ、７Ｃ、７Ｂはそれぞれの対応する上側案内軌道１３ａ、１３ｂ、１３ｃ及び下側案内軌道１５ａ、１５ｂ、１５ｃを介して左右移動可能に支持させてあって、これらスライドドア７Ａ、７Ｃ、７Ｂのそれぞれを右方向へ移動させたときに出入り開口６が開放され、逆に左方向へ移動させたときに出入り開口６が閉鎖されるようになされている。
【００３５】
そして、第一のスライドドア７Ａと枠体８との関係は、先の実施例の外側スライドドア７Ａと枠体８との関係と同一となしてあり、具体的には、第一のスライドドア７Ａの右端部で前記出入り開口６側に位置した第一の上下方向個所９ｇに左右方向ｆ１へ傾斜された当接平面部ａ１を具備した弾性条部材１１ａを固設し、一方では前記出入り開口６の周縁部の前記当接面部ａ１に対応した個所で前記第一のスライドドア７Ａに面した第二の上下方向個所ｂ１を前記当接面部ａ１に沿わせた剛性面部となし、前記第一のスライドドア７Ａの閉鎖状態で前記当接面部ａ１が前記剛性面部ｂ１に弾圧状に密接されるようになす。
【００３６】
また第一のスライドドア７Ａの左端部と第二のスライドドア７Ｃの右端部との関係は先の実施例の外側スライドドア７Ａの左端部と内側スライドドア７Ｂの右端部との関係に準じたものとなしてあり、具体的には、前記第一のスライドドア７Ａと第二のスライドドア７Ｃとの重なり合い個所の一方の対向面部（この例では第二のスライドドア７Ｃの外方面）の右端部の第七の上下方向個所ｇ１に左右方向ｆ１へ傾斜された当接平面部ａ３を具備した弾性条部材１１ｃを固設し、一方では前記重なり合い個所の他方の対向面部で前記第七の上下方向個所に対応した第八の上下方向個所ｂ３を前記当接面部ａ３に沿わせた剛性面部となし、第一のスライドドア７Ａと第二のスライドドア７Ｃの閉鎖状態で前記当接平面部ａ３が前記剛性面部ｂ３に弾圧状に密接されるようになす。
【００３７】
また第二のスライドドア７Ｃの左端部と第三のスライドドア７Ｂの右端部との関係も先の実施例の外側スライドドア７Ａの左端部と内側スライドドア７Ｂの右端部との関係に準じたものとなしてあり、具体的には、前記第二のスライドドア７Ｃと第三のスライドドア７Ａとの重なり合い個所の一方の対向面部（この例では第二のスライドドア７Ｃの外側面）の左端部の第九の上下方向個所ｇ２に左右方向ｆ１へ傾斜された当接面部ａ４を具備した弾性条部材１１ｂを固設し、一方では前記重なり合い個所の他方の対向面部で前記第九の上下方向個所ｇ２に対応した第十の上下方向個所ｂ４を前記当接面部ａ３に沿わせた剛性面部となし、第一のスライドドア７Ａと第二のスライドドア７Ｃの閉鎖状態で前記当接面部ａ４が前記剛性面部ｂ４に弾圧状に密接されるようになす。
【００３８】
さらに第三のスライドドア７Ｂの左端部と枠体８との関係は先の実施例の内側スライドドア７Ｂの左端部と枠体８との関係に準じたものとなしてあり、具体的には、第三のスライドドア７Ｂの左端面部の前後方向中央の上下方向個所に上下向きの弾性条部材１２を固設し、第三のスライドドア７Ｂの閉鎖状態で前記弾性条部材１２の先端部が枠体８の内周面の左側部に弾圧状に密接されるようになす。これにより、出入り開口６の左右各側部と第一及び第三のスライドドア７Ａ、７Ｂとの間、及び、第一、第二及び第三のスライドドア７Ａ、７Ｃ、７Ｂ同士の間は気密状に封止されるようになる。その他の構成は先の実施例に準じたものとなす。なお、該第二変形例を左右逆対称な構造となして、各スライドドア７Ａ、７Ｃ、７Ｂを右方向へ移動させて出入り開口が閉鎖されるようになしてもよい。
【００３９】
本発明のエレベータドア装置１０１は上記した例に限るものではないのであり、先の実施例、第一変形例及び第二変形例を適宜に変形したり組み合わせるなどして任意に変形したものであってもよい。
【図面の簡単な説明】
【００４０】
【図１】本発明を実施した建物の一部を示す断面図である。
【図２】図２は図１の一部を拡大した図である。
【図３】本発明に係るエレベータ乗場ドア装置を示す正面図である。
【図４】前記エレベータ乗場ドア装置の側面視断面図である。
【図５】前記エレベータ乗場ドア装置の平面視断面図である。
【図６】図５の一部を拡大した図である。
【図７】図５の一部を拡大した図である。
【図８】前記エレベータ乗場ドア装置の上辺部周辺を示す平面視説明図である。
【図９】前記エレベータ乗場ドア装置の下辺部周辺を示す平面視説明図である。
【図１０】前記エレベータ乗場ドア装置の第一変形例を示す平面視説明図である。
【図１１】前記エレベータ乗場ドア装置の第二変形例を示す平面視説明図である。
【符号の説明】
【００４１】
３  昇降空間
５  縦囲壁
６  出入り開口
７Ａ  スライドドア
７Ａ１  スライドドア
７Ｂ  スライドドア
７Ｃ  スライドドア
９ｇ  上下方向個所
１０ｇ  上下方向個所
１１ａ  弾性条部材
１１ａ１  弾性条部材
１１ｂ  弾性条部材
１１ｃ  弾性条部材
１２  弾性条部材
１３ａ  上側案内軌道
１３ｂ  上側案内軌道
１３ｃ  上側案内軌道
１５ａ  下側案内軌道
１５ｂ  下側案内軌道
１５ｃ  下側案内軌道
２１  弾性条部材
２２  弾性条部材
１０１  エレベータ乗場ドア装置
ａ１  当接平面部
ａ２  当接平面部
ａ３  当接平面部
ａ４  当接平面部
ｂ１  剛性面部
ｂ１１  剛性面部
ｂ２  剛性面部
ｂ３  剛性面部
ｂ４  剛性面部
ｆ１  左右方向
ｇ１  上下方向個所
ｇ２  上下方向個所
【図１】
2005082252.tif 000003
【図２】
2005082252.tif 000004
【図３】
2005082252.tif 000005
【図４】
2005082252.tif 000006
【図５】
2005082252.tif 000007
【図６】
2005082252.tif 000008
【図７】
2005082252.tif 000009
【図８】
2005082252.tif 000010
【図９】
2005082252.tif 000011
【図１０】
2005082252.tif 000012
【図１１】
2005082252.tif 000013